(57)【要約】【課題】  いずれの打球具も、方向性に難点があった。【解決手段】  打球具のシャフトへの取付け部と、両手の親指を下向きにして平行に並べてセットすることのできる上面と、前面、背面、底面を備え、前面及び背面から底面にかけては上面にセットした一方の手の親指以外の指で握ることができるようにしてある。複数本の細長材を、間隔をあけて配置した。この構造により、クラブフェースを目的地点に向けてセットし易くし、握りが安定し、打球の方向性が良くなって、カップインの確率が高くなるようにした。【選択図】      図１
2006150058.tif 000002
【特許請求の範囲】
【請求項１】
打球具のシャフトへの取付け部と、両手の親指を下向きにして平行に並べてセットすることのできる上面と、上面の前方の前面と後方の後面とを備え、前面、後面、底面は、前記セットした一方の手の親指以外の指を添えるか又は／及びそれら指で握ることができることを特徴とする打球具のグリップ。
【請求項２】
請求項１記載の打球具のグリップにおいて、上面、前面、背面が一体成型されたものであることを特徴とする打球具のグリップ。
【請求項３】
請求項１記載の打球具のグリップにおいて、上面、前面、背面が複数本の細長材が相互に間隔をあけて角型又は円形のリング状に配置され、複数本の細長材は平行に又は上部から下部に向けて内側に傾斜させて、又は複数本の細長材の上端側が上方に向けて、下端側が下方に向けて次第に内側に曲げられ、それら細長材の上端部が上端連結具で、下端部が下端連結具で夫々固定されて形成され、下端連結具に打球具のシャフトを差込み可能な差込み孔があり、前記複数本の細長材の内側にシャフトが通る挿通空間があり、上端連結具の中心部に前記シャフトの上端を取付け可能な窪み、孔等の上端取付け部があることを特徴とする打球具のグリップ。
【請求項４】
請求項３記載の打球具のグリップにおいて、複数本の細長材のうち、前面側の細長材と、背面側の細長材は打球具のフェース面と平行に配置されたことを特徴とする打球具のグリップ。
【請求項５】
請求項３又は請求項４記載の打球具のグリップにおいて、上端連結具と下端連結具が２以上に分割、組合せ可能であり、分割すると打球具のシャフトを囲って組合せることができることを特徴とする打球具のグリップ。
【請求項６】
請求項３又は請求項４記載の打球具のグリップにおいて、上端連結具と下端連結具が開閉可能であり、開くと打球具のシャフトを囲うことができることを特徴とする打球具のグリップ。
【請求項７】
請求項３乃至請求項６のいずれかに記載の打球具のグリップにおいて、複数本の細長材又は／及び上端連結具と下端連結具の外周が弾性、伸縮性等のある又はない材質製カバーで被覆されたことを特徴とする打球具のグリップ。
【請求項８】
請求項１乃至請求項７のいずれかに記載の打球具のグリップにおいて、グリップ又はカバーの上面の幅方向両端又は任意の箇所に上方に突出するリブが形成されたことを特徴とする打球具のグリップ。
【請求項９】
請求項１乃至請求項８のいずれかに記載の打球具のグリップにおいて、側上面から底面にかけて次第に細く、又は円弧状に、又は次第に外側膨らみに成型されたことを特徴とする打球具のグリップ。
【請求項１０】
請求項１乃至請求項９のいずれかに記載の打球具のグリップが、その前面をヘッドの前面と平行にして打球具のシャフトに取付けられたことを特徴とする打球具のグリップ。
【発明の詳細な説明】
【技術分野】
【０００１】
本発明はゴルフパター、グランドゴルフ用クラブ、ゲートボール用スティックといった各種打球具のグリップに関し、シャフトに着脱可能なグリップと、シャフトに固定されたグリップに関するものである。
【背景技術】
【０００２】
各種打球具のグリップ、特に、ゴルフパターのグリップには、ボールをヘッドの打球面（フェース）で目的方向に打ち易くするために色々な工夫、改良がなされている。
【発明の開示】
【発明が解決しようとする課題】
【０００３】
各種打球具のグリップ、特に、ゴルフパターのグリップには次のような課題がある。
（１）ゴルフパターは、真っ直ぐなシャフトに取付けられているグリップを、左右の手で上下に段違いに握るため、必然的に利き手に力が入り過ぎてボールを左方向へ引っ掛けたり、右方向へ押し出したりして、ボールが目的方向へ転がらないことが多い。このため、グリーン上のボールからカップまでの距離が２メートル前後の場合、俗に、入れ頃、外し頃といわれているように、カップインする確率が低く、アベレージゴルファーの技術レベルでは、１０回挑戦して４回カップインすれば成功率が高い方である。
（２）カップインの成功率を高めるために、ヘッド形状に種々の工夫を凝らしたリ、長尺パターが開発されたりしているが、未だ、多くのゴルアファーが満足できるほど成功率の高いパターは開発されていない。
【課題を解決するための手段】
【０００４】
本件発明者はパットの成功率の低さについて、長年、鋭意研究を重ねた結果、パットの成功率を高めるためには、ヘッドの形状を工夫することもさることながら、グリップの形状、構造に大きな原因があることを究明し、本件発明のグリップを開発した。
【０００５】
本件発明のグリップは、打球具のシャフトへの取付け部と、両手の親指を下向きにして平行に並べてセットすることのできる上面と、上面の前方の前面と後方の後面とを備え、前面、後面、底面は、前記セットした一方の手の親指以外の指を添えるか又は／及びそれら指で握ることができるものである。前記上面、前面、背面はゴム、樹脂等で一体成型されている。
【０００６】
本件発明のグリップは、前記グリップにおいて、上面、前面、背面が複数本の細長材が相互に間隔をあけて角型又は円形のリング状に配置され、複数本の細長材は平行に又は上部から下部に向けて内側に傾斜させて、又は複数本の細長材の上端側が上方に向けて、下端側が下方に向けて次第に内側に曲げられ、それら細長材の上端部が上端連結具で、下端部が下端連結具で夫々固定されて形成され、下端連結具に打球具のシャフトを差込み可能な差込み孔があり、前記複数本の細長材の内側にシャフトが通る挿通空間があり、上端連結具の中心部に前記シャフトの上端を取付け可能な窪み、孔等の上端取付け部があるものである。前記複数本の細長材のうち前面側の細長材と背面側の細長材は、打球具のフェース面と平行に配置されたものである。前記上端連結具と下端連結具は２以上に分割、組合せ可能であり、分割すると打球具のシャフトを囲って組合せることができるようにすることもできる。また、前記上端連結具と下端連結具が開閉可能であり、開くと打球具のシャフトを囲うことができるようにすることもできる。前記複数本の細長材と上端連結具又は／及び下端連結具の外周が弾性、伸縮性等のある又はない材質製カバーで被覆されたものである。
【０００７】
本件発明のグリップは、前記グリップ又はカバーの上面の幅方向両端又は任意の箇所に上方に突出するリブが形成されたものである。前記側上面から底面にかけて次第に細く、又は円弧状に、又は次第に外側膨らみに成型されたものである。
【０００８】
本件発明のグリップは、前記グリップがその前面をヘッドの前面と平行にして打球具のシャフトに取付けられたものである。
【発明の効果】
【０００９】
本件発明のグリップは、両手の親指を下向きにして平行に並べてセットすることのできる上面を備えているので、上面に両手の親指を下向きにして平行に並べてセットし、その状態で、両手の人差し指を前面と背面に添え、両方の手の他の指で底面側を握って、両手を前後に平行移動させることにより、クラブを前後にストロークすることができるため、フェースを目的地点に向けてストロークし易くなり、フェースが内向きになってボールを引っ掛けたり、フェースが外向きになってボールを押し出したりすることが少なくなり、カップインの確率が高まる。
【００１０】
本件発明の請求項２記載のグリップは、上面、前面、背面が一体成型されているので、構造が簡潔であり、成型もし易い。
【００１１】
本件発明の請求項３記載のグリップは、複数本の細長材を相互に間隔をあけて平行に又は上部から下部に向けて内側に傾斜させて角型又は円形のリング状に配置され、それら細長材の上端部が上端連結具で、下端部が下端連結具で夫々固定されて、前記上面、前面、背面が形成されているため次のような効果がある。
（１）図６のように両手を複数本の細長材の両外側に宛がい、握った両手の親指を揃えて平行に並べて互いに押し合うようにし、他の４本の指で下側のパイプ状部材をしっかり握ると、ヘッドのフェース側の手（右利き人は左手、左利き人は右手）の甲がそのフェースと平行になり、背面側の手が前記フェースの手と平行になる。このため、フェースを目的地点に向けてセットしてから、グリップを握った両手を前後に移動（ストローク）させてボールを打てば、ボールが目的地点に向かって転がり、カップインする確率が高まる。
（２）打球具のシャフトの上端部を、前記下端連結具の差込み孔から挿通空間に差込んで上端連結具の上端取付け部にセットして取付ければ、シャフトがグリップの中心にセットされるため、そのグリップを取付けた打球具はボールをヘッドの芯で打ち易くなり、ボールの方向性が良く、カップインの確率が高まる。
（３）複数本の細長材の外周を結ぶ連結円（図５のＬ）の直径が、既存のグリップに比して大きいため、複数本の細長材を両手で握った握力が一部の細長材にだけ強く伝わることがなく、複数本の細長材に略均等に分散され、利き手の力が強く作用することもない。また、グリップを握った手が緩みにくくなり安定もする。このため、フェースを目的地点に向けてストロークし易くなり、フェースが内向きになってボールを引っ掛けたり、フェースが外向きになってボールを押し出したりすることが少なくなり、カップインの確率が高まる。
（４）複数本の細長材をシャフトの外周に間隔をあけて配置したので、それら細長材を握った手の指をその間隔に差込むことにより、複数本の細長材の連結円（図５のＬ）の直径が大きくとも、複数本の細長材を確実に握ることができ、握りが緩まないので、ヘッドのフェースの向きも安定し、フェースでボールを目的地点に確実に打ち出すことができる。
（５）複数本の細長材のうち、フェース側の少なくとも２本の細長材はヘッドのフェースと平行に配置し、ヘッドの背面側の少なくとも他の２本の細長材は前記フェースの細長材と平行に設けてあるので、フェース側の細長材を一方の手で握り、背面側の細長材を反対の手で握ると、両手の甲が自動的にフェースと平行になる。このため、本発明のグリップであれば、初心者であっても、フェースを目的地点に向けてストロークし易くなり、フェースが内向きになってボールを引っ掛けたり、フェースが外向きになってボールを押し出したりすることが少なくなり、カップインの確率が高まる。
（６）複数本の細長材の上端部を上端連結具により、下端部を下端連結具によりシャフトに夫々固定されることによって、複数本の細長材をシャフトに固定させたので、シャフトへの複数本の細長材の取付けが容易になる。
（７）複数本の細長材を上端側から下端側に次第に内側に傾斜して配置したので、手の小さな人は複数本の細長材の下端側（連結円が小さい部分）を、手の大きな人は複数本の細長材の上端側（連結円が大きい部分）を握ることができるため、手の大小に拘わらず握り易くなる。
（８）複数本の細長材の上端側を上方に向けて次第に内側に曲げ、下端側を下方に向けて次第に内側に曲げたので、上端側を取付ける上端連結具の外形、下端側を取付ける下端連結具の外形を小さくすることができ、複数本の細長材を、間隔をあけて配置しても、グリップを小型化することができる。
【００１２】
本件発明の請求項４記載のグリップは、複数本の細長材のうち、前面側の細長材と、背面側の細長材は打球具のフェース面と平行に配置されたので、細長材が握り易くなり、ヘッドのフェースを目的地点に合わせ易くなり、打ったボールの方向性が良くなり、カップインの確率が高まる。
【００１３】
本件発明の請求項５記載のグリップは、上端連結具と下端連結具が２以上に分割、組合せ可能であり、分割すると打球具のシャフトを囲って組合せることができるため、上端連結具と下端連結具を２以上に分割して打球具のシャフトを囲うようにその外側に被せて組合せるだけで、そのシャフトにグリップを手軽に取り付けることができ、シャフトへの取付けが容易である。取付けたグリップは上端連結具と下端連結具を２以上に分割するだけでシャフトから取外すことができるためグリップ交換も容易になる。
【００１４】
本件発明の請求項６記載のグリップは、上端連結具と下端連結具が開閉可能であり、開くと打球具のシャフトを囲うことができるため、前記した分割、組み合わせ式のグリップの場合と同様に、打球具のシャフトへの取付け、取外しが容易になる。
【００１５】
本件発明の請求項７記載のグリップは、複数本の細長材又は／及び上端連結具と下端連結具の外周が弾性、伸縮性等のある又はない材質製カバーで被覆されたので、細長材が剥き出しにならず、体裁が良い。カバーの材質を変えることによって、握り易くしたり、打球感を硬くしたり、軟らかくしたりすることができる。また、カバーの色彩を変えることによってデザインに変化をもたせることもできる。弾性、伸縮性等のある材質製カバーの場合は、握り易く、軽い力で握っても握りが安定するため、引っ掛けや、押し出しが出にくく、目標方向へ打ち出し易い。
【００１６】
本件発明の請求項８記載のグリップは、グリップ又はカバーの上面の幅方向両端又は任意の箇所に上方に突出するリブが形成されたので、上面に宛がった両親指が安定し、引っ掛けや、押し出しが出にくく、目標方向へ打ち出し易い。
【００１７】
本件発明の請求項９記載のグリップは、側上面から底面にかけて次第に細くなっている場合はグリップが軽量化され、円弧状又は次第に外側膨らみに成型されている場合は、図１６のように手で握ったときは手の平がグリップに接触し易くなるためグリップが安定する。
【００１８】
本件発明の請求項１０記載のグリップは、前記グリップがその前面をヘッドの前面と平行にして打球具のシャフトに取付けられたので、前記効果を全て備えた打球具となる。
【発明を実施するための最良の形態】
【００１９】
（グリップの実施形態１）
本発明の打球具のグリップの実施形態の一例を図１（ａ）（ｂ）に基づいて説明する。このグリップは、樹脂、ゴム、皮革等の弾性、伸縮性等のある材料で四角形に成型されており、打球具のシャフト１０への取付け部２０と、図１（ａ）のように両手の親指を下向きにして平行に並べてセットすることのできる上面２１と、前面２２及び背面２３から底面２４にかけて、前記のセットした一方の手の親指以外の指で握ることができるようにしてある。
【００２０】
前記取付け部２０はシャフト１０を差込み可能な孔としてある。上面２１は両手の親指を下向きにして平行に並べてセットすることのできる広さとしてある。四つのコーナー２７を円弧状に外側に盛り上げて上面２１、前面２２、背面２３、底面２４の中央部を窪ませてある。上面２１に窪みがあると両手の親指を平行に並べてセットし易くなる共に両親指が互いに接近して（内側に寄って）位置ずれしにくくなるようにしてある。前面２２、背面２３は図２（ａ）のような円弧状であってもよい。上面２１、前面２２、背面２３、底面２４は図２（ｂ）のように平面であっても良く、他の形状であってもよいが、いずれの形状の場合も、少なくとも、上面２１は両手の親指を下向きにして平行に並べてセットすることのできる広さとする。このグリップは金属、硬質樹脂、木等で成型し、その外周をカバーで被覆することもできる。カバーには弾性や伸縮等がある軟質樹脂製、ゴム製、皮革製等の弾性、伸縮性等のある材料製のシート、フィルム等を使用することができる。このグリップはヘッド側をエンド側よりも多少、細くすることもできる。
【００２１】
（グリップの実施形態２）
本発明の打球具のグリップの実施形態の他の例を図３に基づいて説明する。このグリップは金属性であり、取付け部（上面の内側）２１が打球具のシャフト１０の上端部１１に溶接で固定されている。このグリップは、上面２１と、ヘッドのフェースと平行な前面２２と、それと平行な背面２３を備え、前面２２と背面２３の下端部を内側に折り曲げて、上面２１から前面２２、上面２１から背面２３を握った夫々の手の指で握ることができるようにしてある。この上面２１も両手の親指を下向きにして平行に並べてセットすることのできる広さとしてある。このグリップは上面２１の内面をパイプ１０の上端部１１に溶接により固定されている。このグリップは硬質樹脂、木等で成型することもできる。これら弾性のない材質製としたときは、その外周を樹脂、ゴム、皮革等の弾性、伸縮性等のある材料製のカバーで被覆するのがこの好ましい。グリップは樹脂、ゴム、皮革等の弾性、伸縮性等のある材料製とすることもできる。その場合のグリップは、取付け部（上面２１の内側）２０をシャフト１０の上端部１１に接着剤で固定することができる。この取付け部は上面２１の内側にパイプを取付けたものでもよく、それに打球具のシャフト１０を挿入して、接着剤で固定することができる。パイプはその軸方向に開口されているものでもよい。その場合はパイプが開口部において、多少、伸縮可能となるため、打球具のシャフトに多少の太い、細いがあっても挿入可能となり便利である。
【００２２】
（グリップの実施形態３）
本件発明のグリップの他の実施形態を図４〜図６に基づいて説明する。このグリップは打球具のシャフトとは別に形成されており、図６のようにシャフトの上端部を差込んで、その上端部外周に取付けて使用するものである。図４のグリップは４本の細長材１が相互に間隔をあけて同心円Ｓ（図５）上に配置され、それら細長材１の上端部２が円盤状の上端連結具３に固定され、下端部４が円盤状の下端連結具５に固定され、下端連結具５にゴルフパター、ゲートボール用スティック等の打球具のシャフトを差込み可能な差込み孔６があり、４本の細長材１の内側で上端連結具３と下端連結具５との間に打球具のシャフトが通る挿通空間７があり、上端連結具３の中心部にシャフト１０の上端部１１を取付け可能な上端取付け部８が形成されている。上端取付け部８はシャフト１０の上端部１１を差込み可能な大きさの孔とか、シャフト１０の上端部１１を宛がって位置決めできる円形の窪み等にすることができる。
【００２３】
細長材１の太さ、隣り合う細長材の間隔は図６のように片手で同時に２本の細長材１を握り易い寸法にしてある。同心円上に配置された４本の細長材１は、その外周を円形に結んで形成される外周円Ｌ（図５）の直径が４４．５mm以内（ゴルフルールのパターのグリップの外径に関する規則で定められている寸法以内）の寸法にして、ルール違反にならないようにするのが望ましい。細長材１の本数も３、５、６、８本といった任意数とすることができ、それらを打球具のシャフトの外周に同心円上に均等間隔で配置する。この場合もそれら細長材１の外周円の直径を４４．５mm以内とするのが望ましい。
【００２４】
細長材１には中空のパイプ、無垢の棒等が使用される。それらは丸材でも角材でも良い。細長材１は金属製、樹脂製、木製といった任意の材質製とすることができる。複数本の細長材１の太さは同じものが望ましいが、場合によっては異なるものでもよい。例えば、直径（太さ）５〜２０mmの範囲で選択するのが望ましく、１２mm程度が手で握り易く、握ったときに安定性があり、強度にも優れる。５mm程度になると細すぎて握りにくく、安定性に欠け、強度にも難点があるが、女性とか、手の小さな人であれば特に問題はない。細長材１は上端から下端まで均一径のものでも、下端が次第に細くなるものであってもよい。
隣り合う細長材１の間隔は均等でも異なっても良いが、２本の細長材１を片手で同時に握り易い間隔が好ましい。いずれにしても、配置する細長材１の太さ、本数、前記外周円Ｌの直径によって決める。細長材１の長さも任意に選択できるが、上端連結具３の下面から、下端連結具５の上面までの寸法はグリップの標準的な長さ（約２５４mm）程度にすることができる。
【００２５】
上端連結具３、下端連結具５は加工性、強度、重さ等の面から金属製、樹脂製、木製といった任意の材質製とすることができる。それらの形状は四角形、多角形、星形といった各種形状とすることができる。上端連結具３と下端連結具５は同じ形状でも、異なる形状であってもよい。上端連結具３、下端連結具５は外形が大きいと、ゴルフバックへ収納しにくかったり、収納できなかったりし、体裁面でも好ましくないため、できるだけコンパクトでデザインの良いものとするのがよい。このグリップは細長材１を備えた上端連結具３と下端連結具５を樹脂で一体に成型することもできる。
【００２６】
（グリップの取付け例１）
図１のグリップは図６のように打球具のシャフトに取り付けて使用する。その取付けは例えば次のようにして行うことができる。
（１）シャフト１０の先にヘッドが取り付けられている場合は、シャフトの上端部１１を下端連結具５の差込み孔６に下方から上方に差込んで挿通空間７内にまで挿入し、シャフト１０の上端部１１を上端連結具５の上端取付け部８の差込み孔に差込み、（上端取付け部８が窪みの場合はそれに宛がって位置決めし）、そのシャフト１０を下端連結具３と上端連結具５に接着剤とか溶接等の手段で固定する。
（２）シャフト１０の先にヘッドが取り付けられていない場合は、シャフト１０の先端から上端連結具３の上端取付け部８の差込み孔に差込んで挿通空間７内に挿入し、更に、下端連結具５の差込み孔６を貫通させてシャフト１０の先端側を下方に突出させ、そのシャフト１０を上端連結具３、下端連結具５に接着剤とか溶接等の手段で固定する。
前記（２）の手順で差込む場合は、前記（１）の手順で差込む場合よりも、下端連結具５の差込み孔６の径を小さくすることができるため、上端連結具３、下端連結具５へのシャフト１０の固定が容易且つ確実になる。
【００２７】
（グリップの実施形態４）
本件発明のグリップの実施形態の他の一つを図７に基づいて説明する。このグリップは図８のように打球具のシャフト１０の上端部１１に、それより上方に突出させて取付けるものである。図７のグリップは図４のグリップと殆ど同じ構造であり、異なるのは、上端連結具３の下面に上端取付け部８の差込み孔や窪み等が無いことである。
【００２８】
（グリップの取付け例２）
図７のグリップを図８のように打球具のシャフト１０に取付けるには、シャフト１０の上端部１１を下端連結具５の下端位置決め部の差込み孔６に差込み、その上端部１１を接着剤とか溶接等の手段で下端連結具５に固定する。下端連結具５の上端位置決め部が孔ではなく下端連結具５の底面に形成された窪みである場合は、その窪みにシャフト１０の上端部を宛がって位置決めし、その上端部１１を接着剤とか溶接等の手段で下端連結具５に固定する。いずれの場合も、細長材１がシャフト１０の軸の中心線Ｘ−Ｘ′の延長上の外周に配置する。図８の場合は、シャフト１０の上端部１１が上端連結具３に固定されていないため、シャフトの上端部１１の固定が不安定であったり、強度不足となる場合は、シャフトとグリップを補強具で連結することもできる。このグリップも細長材１を備えた上端連結具３と下端連結具５を樹脂で一体に成型することもできる。
【００２９】
（グリップの実施形態５）
図４、図７のいずれのグリップも、図９（ａ）のように２つの分割グリップに分割したり、図９（ｂ）のように、分割された２つの分割グリップを開閉可能に連結したりして、シャフトの上端部に脱着可能とすることができる。図９（ｂ）では開閉可能に連結する手段として蝶番を使用してあるが、その連結は他の手段であってもよく、例えば、分割グリップを樹脂成型して両分割グリップをヒンジで開閉可能に連結する等することができる。
【００３０】
（グリップの取付け例３）
図９（ａ）のグリップをシャフトに取付けるには、２つの分割グリップを打球具のシャフトの外側に対向させて被せ、両分割グリップを接着剤とか溶接等でシャフトに固定する。図９（ｂ）のグリップをシャフト１０に取付けるには、２つの分割グリップを開いて打球具のシャフト１０の外側にセットし、それら２つの分割グリップを閉じて両分割グリップを接着剤とか溶接等でシャフト１０に固定する。これらグリップのシャフトへの固定は他の手段、例えば、ネジ等の止め具での固定、ネジと接着剤の併用での固定等とすることができる。
【００３１】
（グリップの実施形態６）
本発明のグリップの他の実施形態を図１０、図１１に基づいて説明する。図１０は打球具がゴルフパターの場合、図１１は打球具がゲートボールのスティックの場合であり、いずれの場合も、それら打球具のシャフト１０の上端部１１に固定されている固定型の例である。図１０、図１１のグリップは同じ構造であり、打球具のシャフト１０の上端部１１の外周に、４本のパイプ、棒等の細長材１が相互に均等間隔で互いに平行に且つ上端部１１に沿って平行に配置され、連結具１５を介してシャフト１０に固定されている。細長材１の材質、長さ、太さ等のサイズ、本数、配置間隔等は、図４、図７のグリップの細長材１と同様にすることも、異なるようにすることもできる。４本の細長材１のうち、ヘッド１６のフェース１７側の２本の細長材１はフェース１７と平行に配置され（Ｘ−Ｘ線とＹ−Ｙ線が平行）、ヘッド１６の背面側に設けられた他の２本の細長材１はフェース側の２本の細長材１と平行に配置されている。図１０の連結具１５は丸パイプであり、それが細長材１の上部と下部に溶接、接着剤等の固定手段でシャフトに固定されている。連結具１５は棒材、板材等とすることもでき、樹脂製として細長材１と一体に成型することもできる。
【００３２】
（グリップの実施形態７）
本発明のグリップの他の実施形態を図１２（ａ）（ｂ）に基づいて説明する。これらグリップも打球具のシャフト１０の上端部１１に固定されている固定型の例である。図１２（ａ）（ｂ）のグリップは共に、４本の細長材１の上端部が板状の上端連結具３に、下端部が板状の下端連結具５に接着剤、溶接等により固定されており、その上端連結具３と下端連結具５が接着剤、溶接等でシャフトに固定されることによって４本の細長材１がシャフト１０に固定されている。図１２（ａ）のグリップは４本の細長材１が互いに平行に配置されているが、図１２（ｂ）のグリップは、４本の細長材１が上端側から下端側に向けて次第に内側に向けて傾斜させて配置してある。図１２（ａ）（ｂ）いずれの場合も、４本の細長材１の上端部と下端部は内側に曲げて（寄せて）、小さな外形の上部連結具３、下端連結具５に取付けることができるようにしてある。また、図１２（ａ）（ｂ）いずれの場合も、４本の細長材１の中心部にはシャフト１０の上端部１１が貫通されているため、上端部１１へのグリップの取付けが確実になる。図１２（ａ）のＡ部、Ｂ部、Ｃ部の長さ、上端連結具３、下端連結具５の板厚、直径等は任意に選択することができるが、一例としては、Ａ部の長さ２０〜２５mm、Ｂ部の長さ２２０mm、Ｃ部の長さ５０mm、上端連結具３、下端連結具５の板厚１０mm、上端連結具３の直径５５mm、下端連結具５の直径３５〜３６mm程度とすることができる。
【００３３】
（グリップの実施形態８）
本発明のグリップの他の実施形態を図１３に基づいて説明する。これらグリップも打球具のシャフト１０の上端部１１に固定されている固定型の例である。図１３のグリップも４本の細長材１をシャフト１０の上端部１１の外周に平行に配置し、その上端部２を内側にほぼ直角に曲げてブロック状の上端連結具３に固定され、下端部が円盤状の下端連結具５に固定され、上端連結具３がシャフト１０の最上端に被せて接着剤、溶接等で固定され、下端連結具５がシャフト１０に接着剤、溶接等で固定されることによって、４本の細長材１がシャフト１０に固定されている。ブロック状の上端連結具３の内面にはシャフト１０の最上端を差込むことができる孔とか、最上端を宛がって位置決めできる窪み等を形成しておくと、シャフト１０の最上端の差込みや位置決めが用意且つ確実になる。また、ブロック状の上端連結具３の外周面に細長材１の折曲げた上端部２を差込み可能な孔を横向きに開けておくと、その孔に細長材１の上端部２を横から差込むことができるため、上端部２の位置決め、固定が容易且つ確実になる。
【００３４】
前記実施形態３〜８のグリップは、４本の細長材１の外周を、又は、細長材１と上端連結具３と下端連結具５をカバーで被覆することができる。カバーには弾性や伸縮等がある軟質樹脂製やゴム製のシートやフィルム、或はフェルト、皮革等を使用することができる。
【００３５】
本発明のグリップは、いずれも、両手の親指を平行に並べて細長材１を握って使用することができるため打球の方向性が良くなり、カップインの確率が高まる。本発明のグリップを設計し、製造する場合は、ゴルフ、ゲートボール、グランドゴルフなどのクラブに関する規則に違反しないように作る望ましい。本発明のグリップは複数本の細長材を、間隔をあけて配置したものであれば、図示した実施形態以外の形状、構造、寸法、材質等とすることができる。
【００３６】
（グリップの実施形態９）
本発明のグリップは、図１４のように、グリップの上面２１の幅方向両端に上方に突出するリブ３０が形成されたものである。リブ３０はゴルフの規則に反しない高さ、幅等にするのがのぞましい。リブ３０は上面２１の中央部にも形成することができる。また、他の箇所に形成することもできる。リブ３０を形成することにより、図１６のように両手の親指を上面に平行に並べて（揃えて）配置してグリップを握ったときに、両親指が安定する。
【００３７】
図１４のグリップの上面２１には半球状の上面滑り止め３１が図１５（ａ）のように凹陥して形成されている。滑り止め３１は図１５（ｂ）のように上面から上方に突出させることもできる。滑り止め３１を設けることによりグリップを握ったときに滑りにくくなり、握りが安定する。滑り止め３１の数、高さ、深さ、サイズ等はできるだけ滑りにくくなるようにする。滑り止め３１は突起や窪みではなく溝とか他の形状、或はシボ加工により表面を粗面にしたものでも良い。図１４の上面２１は幅方向中央部から幅方向両外側にやや下り傾斜に湾曲しているが、上面２１は幅方向全体に平らであってもよく、両外側から幅方向中央側に次第に下り傾斜であってもよい。両外側から幅方向中央側に下り傾斜にすれば親指の安定が向上する。
【００３８】
図１４のグリップは前面２２、背面２３から底面２４にかけて次第に細くして軽量化してある。グリップは図１５（ｂ）のように前面２２、背面２３から底面２４にかけて次第に側方に裾広がりに成型したり、図１５（ｃ）のように円弧状に成型したりすることもできる。図１５（ｂ）、（ｃ）の形状にすると、図１６のように、両手の親指を上面に平行に並べて（揃えて）配置し、両手の人差し指を夫々前面、背面に宛がってグリップしたときに、両手の平が前面２２、背面２３に接触し易くなり、握りが安定する。
【００３９】
図１４のグリップは底面２４に切込みを入れて周面滑り止め３２が形成されている。この切り込みは底面２４から前面２２及び背面２３にかけて弧状に形成されている。切込みの本数、間隔、深さ等はできるだけ滑りにくくなるようにする。滑り止め３２は溝ではなく、突起や窪み、或はシボ加工により表面を粗面にしたものでも良い。
【００４０】
本発明のグリップは両手の親指を並べてセットできる広さにしてあるため、全体が大型化し、重量が必要以上に重くなって、ヘッドとのバランスとの関係から軽量化する必要がある場合は、軽量化可能な発泡スチロール製とするとか、その外周を硬質材製のカバーで被覆するとか、中空の二重構造としたりすることができる。また、グリップのシャフト差込孔をシャフトよりの外径よりも大きくすることにより肉厚を薄くして軽量化し、シャフト差込孔の内面数箇所にシャフト外周面と接触してシャフトを支持する支持突起を成型したりすることもできる。
【図面の簡単な説明】
【００４１】
【図１】（ａ）本発明のグリップの使用例を示す斜視図、（ｂ）は（ａ）のグリップの斜視図。
【図２】（ａ）（ｂ）は本発明のグリップの異なる例の端面図。
【図３】本発明の取付け式グリップの他の例であり、Ｃ型鋼を使用した場合の斜視図。
【図４】本発明のグリップの他例を示す斜視図。
【図５】図４のＡ−Ａ断面図。
【図６】図４のグリップをゴルフシャフトに取付けて使用する場合の説明図。
【図７】本発明のグリップの他の例を示す斜視図。
【図８】図７のグリップをゴルフシャフトに取付けた場合の説明図。
【図９】（ａ）は２分割したグリップの説明図、（ｂ）は開閉式グリップの説明図。
【図１０】本発明の打球具がゴルフパターの場合の固定式グリップの一例を示す斜視図。
【図１１】本発明の打球具がゲートボール用スティックの場合の固定式グリップの一例を示す斜視図。
【図１２】（ａ）（ｂ）は本発明の固定式グリップの異なる例であり、上部連結具と下部結具が板状の場合の斜視図。
【図１３】本発明の取付け式グリップの他の例であり、上部連結具がブロック状、下部結具が板状の場合のグリップの斜視図。
【図１４】本発明のグリップの他の例であり、上面にリブと滑り止めを、外周面に滑り止めを形成したものの斜視図。
【図１５】（ａ）〜（ｃ）は本発明のグリップの異なる実施例の断面図。
【図１６】図１４のグリップをシャフトに取付けた状態の斜視図。
【符号の説明】
【００４２】
１  細長材
２  細長材の上端部
３  上端連結具
４  細長材の下端部
５  下端連結具
７  挿入空間
８  上端取付け部
１０  シャフト
１１  シャフトの上端部
２０  取付け部
２１  上面
２２  前面
２３  背面
２４  底面
３０  リブ
３１  上面滑り止め
３２  周面滑り止め
Ｓ  同心円
Ｌ  連結円
【図１】
2006150058.tif 000003
【図２】
2006150058.tif 000004
【図３】
2006150058.tif 000005
【図４】
2006150058.tif 000006
【図５】
2006150058.tif 000007
【図６】
2006150058.tif 000008
【図７】
2006150058.tif 000009
【図８】
2006150058.tif 000010
【図９】
2006150058.tif 000011
【図１０】
2006150058.tif 000012
【図１１】
2006150058.tif 000013
【図１２】
2006150058.tif 000014
【図１３】
2006150058.tif 000015
【図１４】
2006150058.tif 000016
【図１５】
2006150058.tif 000017
【図１６】
2006150058.tif 000018